(57)【要約】【課題】  従来に比して簡便に臨床検査の各工程において対象となる検体の有無を確認することができる臨床検査情報管理装置、臨床検査情報管理システム、及びコンピュータプログラムを提供する。【解決手段】  臨床検査情報管理サーバは、メニュー画面Ｗ１を表示する。このメニュー画面Ｗ１には、複数のアイコンＱ１１〜Ｑ１９が表示される。アイコンＱ１３は、測定待ちの検体を一覧表示する画面へ表示を切り替えるためのアイコンであり、その横には、測定工程の対象となる検体の数を示す検体数情報Ｍ１３が表示される。また、アイコンＱ１４は、再測定待ちの検体を一覧表示する画面へ表示を切り替えるためのアイコンであり、その横には、再測定工程の対象となる検体の数を示す検体数情報Ｍ１４が表示される。【選択図】    図１５
2011174844.tif 000002
【特許請求の範囲】
【請求項１】
臨床検体分析装置と通信可能に接続された臨床検査情報管理装置であって、
外部の装置との間で臨床検査に関する情報を通信する通信部と、
表示部と、
前記通信部による臨床検査に関する情報の通信に基づいて、臨床検査における第１工程にある検体を特定するための第１工程検体画面へ表示を移行させるための第１移行子と、臨床検査における第２工程にある検体を特定するための第２工程検体画面へ表示を移行させるための第２移行子とを含むとともに、前記第１工程にある検体の有無及び前記第２工程にある検体の有無を特定可能な表示画面を前記表示部に表示させる表示制御部と、
を備える、臨床検査情報管理装置。
【請求項２】
前記第１工程検体画面は、第１工程にある各検体に関する情報を一覧表示する画面であり、
前記第２工程検体画面は、第２工程にある各検体に関する情報を一覧表示する画面である、
請求項１に記載の臨床検査情報管理装置。
【請求項３】
前記表示制御部は、前記第１工程検体画面において一覧表示されている情報よりも詳細な情報を、検体毎に表示する詳細情報画面を前記表示部に表示させる、
請求項２に記載の臨床検査情報管理装置。
【請求項４】
前記表示画面は、前記第１工程の対象となる検体の有無を示す第１工程検体情報と、前記第２工程の対象となる検体の有無を示す第２工程検体情報と、をさらに含む、
請求項１乃至３の何れかに記載の臨床検査情報管理装置。
【請求項５】
前記第１工程検体情報は、前記第１工程にある検体の数を示す情報であり、前記第２工程検体情報は、前記第２工程にある検体の数を示す情報である、  
請求項４に記載の臨床検査情報管理装置。
【請求項６】
前記第１移行子及び前記第２移行子のそれぞれは、アイコンである、
請求項１乃至５の何れかに記載の臨床検査情報管理装置。
【請求項７】
前記第１移行子及び前記第２移行子のそれぞれは、前記表示画面への表示及び非表示の切り替えが不可である、
請求項１乃至６の何れかに記載の臨床検査情報管理装置。
【請求項８】
前記表示画面は、前記表示画面への表示及び非表示の切り替えが可能であるとともに、所定の画面へ表示を移行させるための第３移行子をさらに含む、
請求項７に記載の臨床検査情報管理装置。
【請求項９】
前記表示制御部は、前記通信部による臨床検査に関する情報の通信に基づいて、前記表示画面を更新する、
請求項１乃至８の何れかに記載の臨床検査情報管理装置。
【請求項１０】
前記表示制御部は、所定時間毎に前記表示画面を更新する、
請求項９に記載の臨床検査情報管理装置。
【請求項１１】
前記表示制御部は、前記入力部によってユーザのログイン要求が受け付けられたときに、当該ユーザのログインの可否を判断し、当該ユーザのログインを許可する場合に、前記表示画面を前記表示部に表示させる、
請求項１乃至１０の何れかに記載の臨床検査情報管理装置。
【請求項１２】
前記第１工程検体画面は、前記臨床検体分析装置による測定待ち状態にある検体を特定するための画面であり、
前記第２工程管理画面は、前記臨床検体分析装置による再測定待ち状態にある検体を特定するための画面である、
請求項１乃至１１の何れかに記載の臨床検査情報管理装置。
【請求項１３】
前記第１工程管理画面は、前記臨床検体分析装置による測定待ち状態にある検体を特定するための画面であり、
前記第２工程管理画面は、顕微鏡検査待ち状態にある検体を特定するための画面である、
請求項１乃至１１の何れかに記載の臨床検査情報管理装置。
【請求項１４】
前記通信部は、検体の測定項目を登録するためのホストコンピュータから臨床検査に関する情報を受信し、
前記表示制御部は、前記通信部による前記検体分析装置との間における臨床検査に関する情報の通信と、前記通信部による前記ホストコンピュータとの間における臨床検査に関する情報の通信と、に基づいて、前記表示画面を前記表示部に表示させる、
請求項１乃至１３の何れかに記載の臨床検査情報管理装置。
【請求項１５】
臨床検体を分析する臨床検体分析装置と、
臨床検査に関する情報を通信する通信部と、
表示部と、
前記通信部による臨床検査に関する情報の通信に基づいて、臨床検査における第１工程にある検体を特定するための第１工程検体画面へ表示を移行させるための第１移行子と、臨床検査における第２工程にある検体を特定するための第２工程検体画面へ表示を移行させるための第２移行子とを含むとともに、前記第１工程にある検体の有無及び前記第２工程にある検体の有無を特定可能な表示画面を前記表示部に表示させる表示制御部と、
を備える、臨床検査情報管理システム。
【請求項１６】
通信部と、表示部とを備え、臨床検体分析装置に通信可能に接続されたコンピュータに、臨床検体の検査に関する情報を処理させるためのコンピュータプログラムであって、
前記通信部による前記臨床検査に関する情報の通信に基づいて、臨床検査における第１工程にある検体を特定するための第１工程検体画面へ表示を移行させるための第１移行子と、臨床検査における第２工程にある検体を特定するための第２工程検体画面へ表示を移行させるための第２移行子とを含むとともに、前記第１工程にある検体の有無及び前記第２工程にある検体の有無を特定可能な表示画面を前記表示部に表示させるステップ
を前記コンピュータに実行させる、コンピュータプログラム。
【発明の詳細な説明】
【技術分野】
【０００１】
本発明は、臨床検体分析装置による検体検査に関する情報を管理する臨床検査情報管理装置及び臨床検査情報管理システム並びにコンピュータを臨床検査情報管理装置として機能させるためのコンピュータプログラムに関する。
【背景技術】
【０００２】
複数の臨床検体分析装置に接続され、当該臨床検体分析装置から送信される検査情報を受信し、記憶及び表示する、WAM（Work Area Manager）又はLIS（Laboratory Information System）と呼ばれる臨床検査情報管理装置が知られている。
【０００３】
かかる臨床検査情報管理装置として、例えば、特許文献１には、複数の分析装置における測定結果を受信するとともに、各分析装置における測定の進捗状況を、各分析装置及び各検体に対応付けて、測定分野（例えば生化学、血液、血清等）毎に、複数台の分析装置にわたって１つの工程管理画面に表示するデータ管理装置が記載されている。
【先行技術文献】
【特許文献】
【０００４】
【特許文献１】特開平８−２３３８２５
【発明の概要】
【発明が解決しようとする課題】
【０００５】
しかしながら、上記の特許文献１に記載されたデータ管理装置では、初回測定待ち、再検査待ち等、特定の工程にある検体の有無を確認するためには、工程管理画面全体を確認する必要があり、煩雑であった。特に、検体数又は分析装置数が多い場合には、画面の切り替え、スクロール等の操作が何度も必要であり、煩雑であった。
【０００６】
本発明は斯かる事情に鑑みてなされたものであり、その主たる目的は、従来に比して簡便に臨床検査の特定の工程にある検体の有無を確認することができる臨床検査情報管理装置、臨床検査情報管理システム、及びコンピュータプログラムを提供することにある。
【課題を解決するための手段】
【０００７】
上述した課題を解決するために、本発明の一の態様の臨床検査情報管理装置は、臨床検体分析装置と通信可能に接続された臨床検査情報管理装置であって、外部の装置との間で臨床検査に関する情報を通信する通信部と、表示部と、前記通信部による臨床検査に関する情報の通信に基づいて、臨床検査における第１工程にある検体を特定するための第１工程検体画面へ表示を移行させるための第１移行子と、臨床検査における第２工程にある検体を特定するための第２工程検体画面へ表示を移行させるための第２移行子とを含むとともに、前記第１工程にある検体の有無及び前記第２工程にある検体の有無を特定可能な表示画面を前記表示部に表示させる表示制御部と、を備える
【０００８】
この態様においては、前記第１工程検体画面が、第１工程にある各検体に関する情報を一覧表示する画面であり、前記第２工程検体画面が、第２工程にある各検体に関する情報を一覧表示する画面であることが好ましい。
【０００９】
また、上記態様においては、前記表示制御部が、前記第１工程検体画面において一覧表示されている情報よりも詳細な情報を、検体毎に表示する詳細情報画面を前記表示部に表示させることが好ましい。
【００１０】
また、上記態様においては、前記表示画面が、前記第１工程の対象となる検体の有無を示す第１工程検体情報と、前記第２工程の対象となる検体の有無を示す第２工程検体情報と、をさらに含むことが好ましい。
【００１１】
また、上記態様においては、前記第１工程検体情報が、前記第１工程にある検体の数を示す情報であり、前記第２工程検体情報は、前記第２工程にある検体の数を示す情報であることが好ましい。
【００１２】
また、上記態様においては、前記第１移行子及び前記第２移行子のそれぞれが、アイコンであることが好ましい。
【００１３】
また、上記態様においては、前記第１移行子及び前記第２移行子のそれぞれが、前記表示画面への表示及び非表示の切り替えが不可であることが好ましい。
【００１４】
また、上記態様においては、前記表示画面が、前記表示画面への表示及び非表示の切り替えが可能であるとともに、所定の画面へ表示を移行させるための第３移行子をさらに含むことが好ましい。
【００１５】
また、上記態様においては、前記表示制御部が、前記通信部による臨床検査に関する情報の通信に基づいて、前記表示画面を更新することが好ましい。
【００１６】
また、上記態様においては、前記表示制御部が、所定時間毎に前記表示画面を更新することが好ましい。
【００１７】
また、上記態様においては、前記表示制御部が、前記入力部によってユーザのログイン要求が受け付けられたときに、当該ユーザのログインの可否を判断し、当該ユーザのログインを許可する場合に、前記表示画面を前記表示部に表示させることが好ましい。
【００１８】
また、上記態様においては、前記第１工程検体画面が、前記臨床検体分析装置による測定待ち状態にある検体を特定するための画面であり、前記第２工程管理画面が、前記臨床検体分析装置による再測定待ち状態にある検体を特定するための画面であることが好ましい。
【００１９】
また、上記態様においては、前記第１工程管理画面が、前記臨床検体分析装置による測定待ち状態にある検体を特定するための画面であり、前記第２工程管理画面が、顕微鏡検査待ち状態にある検体を特定するための画面であることが好ましい。
【００２０】
また、上記態様においては、前記通信部が、検体の測定項目を登録するためのホストコンピュータから臨床検査に関する情報を受信し、前記表示制御部が、前記通信部による前記検体分析装置との間における臨床検査に関する情報の通信と、前記通信部による前記ホストコンピュータとの間における臨床検査に関する情報の通信と、に基づいて、前記表示画面を前記表示部に表示させることが好ましい。
【００２１】
また、本発明の一の態様の臨床検査情報管理システムは、臨床検体を分析する臨床検体分析装置と、臨床検査に関する情報を通信する通信部と、表示部と、前記通信部による臨床検査に関する情報の通信に基づいて、臨床検査における第１工程にある検体を特定するための第１工程検体画面へ表示を移行させるための第１移行子と、臨床検査における第２工程にある検体を特定するための第２工程検体画面へ表示を移行させるための第２移行子とを含むとともに、前記第１工程にある検体の有無及び前記第２工程にある検体の有無を特定可能な表示画面を前記表示部に表示させる表示制御部と、を備える。
【００２２】
また、本発明の一の態様のコンピュータプログラムは、通信部と、表示部とを備え、臨床検体分析装置に通信可能に接続されたコンピュータに、臨床検体の検査に関する情報を処理させるためのコンピュータプログラムであって、前記通信部による前記臨床検査に関する情報の通信に基づいて、臨床検査における第１工程にある検体を特定するための第１工程検体画面へ表示を移行させるための第１移行子と、臨床検査における第２工程にある検体を特定するための第２工程検体画面へ表示を移行させるための第２移行子とを含むとともに、前記第１工程にある検体の有無及び前記第２工程にある検体の有無を特定可能な表示画面を前記表示部に表示させるステップを前記コンピュータに実行させる。
【発明の効果】
【００２３】
本発明に係る臨床検査情報管理装置、臨床検査情報管理システム、及びコンピュータプログラムによれば、従来に比して簡便に臨床検査の特定の工程にある検体の有無を確認することができる。
【図面の簡単な説明】
【００２４】
【図１】実施の形態に係る臨床検査情報管理装置を含む院内臨床検査装置群を示す図。
【図２】実施の形態に係る臨床検査情報管理システムの一部構成を示す模式図。
【図３】実施の形態に係る血球分析装置が備える測定ユニットの概略構成を示すブロック図。
【図４】実施の形態に係る血球分析装置が備える情報処理ユニットの構成を示すブロック図。
【図５】実施の形態に係る臨床検査情報管理サーバの構成を示すブロック図。
【図６】工程管理テーブルの構造を示す模式図。
【図７】実施の形態に係るクライアント装置の構成を示すブロック図。
【図８】臨床検査全体の流れを示すフローチャート。
【図９】実施の形態に係る臨床検査工程の推移、すなわち、工程管理テーブルのＦ５に登録される工程情報の推移を示す図。
【図１０】実施の形態に係る臨床検査情報管理サーバの測定オーダ登録処理の流れを示すフローチャート。
【図１１】実施の形態に係る臨床検査情報管理サーバの測定オーダ問い合わせ受け付け処理の流れを示すフローチャート。
【図１２】実施の形態に係る臨床検査情報管理サーバの検査結果受け付け処理の流れを示すフローチャート。
【図１３】実施の形態に係る臨床検査情報管理サーバのエラー通知情報受け付け処理の流れを示すフローチャート。
【図１４】実施の形態に係る臨床検査情報管理サーバの臨床検査情報管理画面の表示処理の流れを示すフローチャート。
【図１５】メニュー画面の一例を示す図。
【図１６】測定待ち検体リスト画面の一例を示す図。
【図１７】再測定待ち検体リスト画面の一例を示す図。
【図１８】承認待ち検体リスト画面の一例を示す図。
【図１９】詳細情報画面の一部を示す図。
【図２０】メニュー画面の変形例を示す図。
【発明を実施するための形態】
【００２５】
以下、本発明の好ましい実施の形態を、図面を参照しながら説明する。
【００２６】
［臨床検査情報管理システムの構成］
図１は、本実施の形態に係る臨床検査情報管理装置を含む院内臨床検査装置群を示す図である。病院内には、ＬＡＮ（Ｌｏｃａｌ  Ａｒｅａ  Ｎｅｔｗｏｒｋ）で構成される通信ネットワークＮＷを介して、ホストコンピュータ１００と、臨床検査情報管理装置である臨床検査情報管理サーバ９と、クライアント装置１０と、血液分析システム２００と、血球分析装置３００と、血液凝固測定装置４００と、尿分析装置５００と、が互いに接続されている。ホストコンピュータ１００は、臨床検査情報管理サーバ９の上位のサーバであり、病院内の検査部門全体の業務を管理する。また、ホストコンピュータ１００は、臨床検査情報管理サーバ９に対し、測定オーダを送信する。臨床検査情報管理サーバ９は、特定の検査分野に属する臨床検体分析装置による検体の測定進捗及び測定結果等を管理する。本実施の形態では、臨床検査情報管理サーバ９は、血液分析システム２００と、血球計数装置３００と、血液凝固測定装置４００と、尿分析装置５００と、による検体の測定進捗及び測定結果等を管理する。クライアント装置１０は、臨床検査情報管理サーバ９へのデータ入力及び表示画面の閲覧に使用されるコンピュータである。本実施例では、臨床検査情報管理サーバ９と、２台のクライアント装置１０と、血液分析システム２００と、血球計数装置３００と、血液凝固測定装置４００と、尿分析装置５００とにより、臨床検査情報管理システムが構成される。
【００２７】
図２は、本実施の形態に係る臨床検査情報管理システムの一部構成を示す模式図である。すなわち、図２は、臨床検査情報管理サーバ９と、２台のクライアント装置１０と、血液分析システム２００のみの構成を示している。説明を簡単にするため、以下では、臨床検査情報管理サーバ９と、２台のクライアント装置１０と、血液分析システム２００についてのみ説明する。
【００２８】
＜血液分析システム２００の構成＞
血液分析システム２００は、検体投入装置２と、検体搬送装置３と、検体収容装置４と、臨床検体分析装置である血球分析装置５と、塗抹標本作製装置６と、血球画像表示装置７と、システム制御装置８と、から主として構成されている。検体投入装置２は、バーコード読取ユニット２２を備えており、検体ラックに保持された複数の検体容器から検体ＩＤを読み取るとともに、検体ＩＤの読取が終了した検体ラックを検体搬送装置３に搬出する。検体搬送装置３は、検体ラックを、血球分析装置５、塗抹標本作製装置６、及び血球画像表示装置７に選択的に搬送する。検体収容装置４は、検体搬送装置３による搬送が終了した検体ラックを受け取り、収容する。血液塗抹標本作製装置は、スライドガラス上に自動的に血液塗抹標本を作製する。血液画像表示装置７は、血液塗抹標本を撮像し、得られた標本画像を自動的に解析し、白血球のサブクラスを分類する。
【００２９】
＜血球分析装置５の構成＞
血球分析装置５は、光学式フローサイトメトリー方式の多項目血球分析装置であり、血液検体に含まれる血球に関して側方散乱光強度、蛍光強度等を取得し、これらに基づいて検体中に含まれる血球を分類し、且つ、種類毎に血球数を計数し、このように分類された血球が種類毎に色分けされたスキャッタグラムを作成し、これを表示する。かかる血球分析装置５は、血液検体を測定する測定ユニット５１と、測定ユニット５１から出力された測定データを処理し、血液検体の分析結果を表示する情報処理ユニット５２とを備えている。
【００３０】
図２は、測定ユニット５１の概略構成を示すブロック図である。測定ユニット５１は、検体分注部５１１と、測定検体調製部５１２と、光学検出部５１３と、信号処理回路５１４と、制御部５１５とを備えている。
【００３１】
検体分注部５１１は、吸引管（図示せず）を備えており、この吸引管を検体搬送装置３の測定ライン３１ａ上を搬送された検体ラックの検体容器の蓋部に突き刺して、この検体容器から血液検体を吸引する。測定検体調製部５１２は、混合容器（図示せず）を備えており、検体分注部５１１により分注された血液検体、試薬及び希釈液を混合撹拌し、測定検体を調製する。
【００３２】
光学検出部５１３は、フローセル（図示せず）を備え、このフローセルに測定検体を供給することにより測定検体の細い流れを形成し、その測定検体に対して光を照射して、光学センサにより側方散乱光信号、前方散乱光信号、及び蛍光信号を取得する。これらの信号は、信号処理回路５１４へ出力される。信号処理回路５１４は、光学検出部５１３から出力される電気信号を処理する回路である。かかる信号処理回路５１４は、側方散乱光信号、前方散乱光信号、蛍光信号のピーク及びパルス幅等のパラメータを取得する。
【００３３】
制御部５１５は、ＣＰＵ及びメモリを備えており、検体搬送装置３とデータ通信可能に接続されている。かかる制御部５１５は、検体搬送装置３から与えられた分析項目にしたがって、検体分注部５１１、測定検体調製部５１２、光学検出部５１３、及び信号処理回路５１４を制御し、上記分析項目に対応する測定動作を実行させる。また、信号処理回路５１４によって得られた上記パラメータを含む測定データを情報処理ユニット５２へ送信するように構成されている。
【００３４】
次に、情報処理ユニット５２の構成について説明する。情報処理ユニット５２は、コンピュータにより構成されている。図３は、情報処理ユニット５２の構成を示すブロック図である。情報処理ユニット５２は、コンピュータ５２ａによって実現される。図３に示すように、コンピュータ５２ａは、本体５２１と、画像表示部５２２と、入力部５２３とを備えている。本体５２１は、ＣＰＵ５２１ａ、ＲＯＭ５２１ｂ、ＲＡＭ５２１ｃ、ハードディスク５２１ｄ、読出装置５２１ｅ、入出力インタフェース５２１ｆ、通信インタフェース５２１ｇ、及び画像出力インタフェース５２１ｈを備えており、ＣＰＵ５２１ａ、ＲＯＭ５２１ｂ、ＲＡＭ５２１ｃ、ハードディスク５２１ｄ、読出装置５２１ｅ、入出力インタフェース５２１ｆ、通信インタフェース５２１ｇ、及び画像出力インタフェース５２１ｈは、バス５２１ｊによって接続されている。
【００３５】
読出装置５２１ｅは、コンピュータを情報処理ユニット５２として機能させるためのコンピュータプログラム５２４ａを可搬型記録媒体５２４から読み出し、当該コンピュータプログラム５２４ａをハードディスク５２１ｄにインストールすることが可能である。
【００３６】
＜システム制御装置８の構成＞
システム制御装置８は、ＣＰＵ、ＲＯＭ、ＲＡＭ、ハードディスク等を備えるコンピュータによって実現される。ハードディスクにインストールされたシステム制御用プログラムをＣＰＵが実行することで、当該コンピュータがシステム制御装置８として機能する。このシステム制御装置８は、検体投入装置２から検体ＩＤを受け付け、検体ＩＤをキーにして臨床検査情報管理サーバ９から測定オーダを取得する。また、システム制御装置８は、測定オーダを検体搬送装置３へ送信する。
【００３７】
＜臨床検査情報管理サーバ９の構成＞
次に、臨床検査情報管理サーバ９の構成について説明する。図５は、本実施の形態に係る臨床検査情報管理サーバ９の構成を示すブロック図である。臨床検査情報管理サーバ９は、コンピュータ９０によって実現される。図５に示すように、コンピュータ９０は、本体９１と、画像表示部９２と、入力部９３とを備えている。本体９１は、ＣＰＵ９１ａ、ＲＯＭ９１ｂ、ＲＡＭ９１ｃ、ハードディスク９１ｄ、読出装置９１ｅ、入出力インタフェース９１ｆ、通信インタフェース９１ｇ、９１ｈ、９１ｉ、及び画像出力インタフェース９１ｊを備えており、ＣＰＵ９１ａ、ＲＯＭ９１ｂ、ＲＡＭ９１ｃ、ハードディスク９１ｄ、読出装置９１ｅ、入出力インタフェース９１ｆ、通信インタフェース９１ｇ、通信インタフェース９１ｈ、通信インタフェース９１ｉ、及び画像出力インタフェース９１ｊは、バス９１ｋによって接続されている。
【００３８】
読出装置９１ｅは、コンピュータを臨床検査情報管理サーバ９として機能させるためのコンピュータプログラム９４ａを可搬型記録媒体９４から読み出し、当該コンピュータプログラム９４ａをハードディスク９１ｄにインストールすることが可能である。
【００３９】
ハードディスク９１ｄには、検体毎に臨床検査の進捗状況を管理するための工程管理テーブルＰＴの領域が設けられている。図７は、工程管理テーブルＰＴの構造を示す模式図である。臨床検査情報サーバ９は、ホストコンピュータ１００と通信し、ホストコンピュータ１００から測定オーダを受信する。受信された測定オーダには、検体を識別するための検体ＩＤ及び当該検体の対象となる測定項目が含まれる。受信された測定オーダは、工程管理テーブルＰＴに格納（登録）される。また、臨床検査情報サーバ９は、システム制御装置８から測定オーダの送信要求を受け付け、要求された測定オーダをシステム制御装置８へと送信する。測定オーダの送信要求データには、検体ＩＤが含まれている。受信された送信要求データに含まれる検体ＩＤは、工程管理テーブルＰＴに格納される。
【００４０】
図６に示すように、工程管理テーブルＰＴには、検体毎に検体に関するレコードが格納される。かかる工程管理テーブルＰＴは、ホストコンピュータ１００から受信した測定オーダに含まれる検体ＩＤを格納するためのフィールドＦ１と、測定オーダに含まれる測定項目を格納するためのフィールドＦ２と、システム制御装置８から受信した測定オーダの送信要求データに含まれる検体ＩＤを格納するためのフィールドＦ３と、再検が必要な場合にその再検に係る測定項目（以下、「再検項目」という。）を格納するためのフィールドＦ４と、その時点で当該検体が該当する臨床検査工程を示す工程情報を格納するためのフィールドＦ５と、当該検体について異常が生じた場合に当該異常を示すエラー情報を格納するためのフィールドＦ６とが設けられている。
【００４１】
また、臨床検査情報管理サーバ９は、クライアント装置１０と通信を行い、クライアント装置１０からの要求に応じて、種々の機能をクライアント装置１０へ提供する。例えば、ユーザがクライアント装置１０を操作して、臨床検査情報管理システムにログインを指示した場合に、このログイン要求を受け付け、ログイン処理を行う。ログインが成功した後には、クライアント装置１０に後述するメニュー画面を表示させ、その後はユーザからの指示に応じて処理を実行し、その結果をクライアント装置１０へ送信する。例えば、クライアント装置１０から血球分析装置５による測定工程にある検体のリスト画面の表示要求を受け付けた場合には、該当する検体に関する情報を工程管理テーブルＰＴから抽出し、その検体に関する情報をクライアント装置１０へと送信する。クライアント装置１０は、この情報を受信して、測定工程にある検体のリスト画面を表示する。
【００４２】
＜クライアント装置１０の構成＞
次に、クライアント装置１０の構成について説明する。図７は、クライアント装置１０の構成を示すブロック図である。クライアント装置１０は、コンピュータ１１０によって実現される。図８に示すように、コンピュータ１１０は、本体１１１と、画像表示部１１２と、入力部１１３とを備えている。本体１１１は、ＣＰＵ１１１ａ、ＲＯＭ１１１ｂ、ＲＡＭ１１１ｃ、ハードディスク１１１ｄ、読出装置１１１ｅ、入出力インタフェース１１１ｆ、通信インタフェース１１１ｇ、１１１ｈ、１１１ｉ、及び画像出力インタフェース１１１ｊを備えており、ＣＰＵ１１１ａ、ＲＯＭ１１１ｂ、ＲＡＭ１１１ｃ、ハードディスク１１１ｄ、読出装置１１１ｅ、入出力インタフェース１１１ｆ、通信インタフェース１１１ｇ、通信インタフェース１１１ｈ、通信インタフェース１１１ｉ、及び画像出力インタフェース１１１ｊは、バス１１１ｋによって接続されている。
【００４３】
読出装置１１１ｅは、コンピュータをクライアント装置１０として機能させるためのコンピュータプログラム１１４ａを可搬型記録媒体１１４から読み出し、当該コンピュータプログラム１１４ａをハードディスク１１１ｄにインストールすることが可能である。
【００４４】
［臨床検査情報管理システムの動作］
まず、臨床検査全体の流れについて説明する。図８は、臨床検査全体の流れを示すフローチャートである。医師によって患者に必要な臨床検査の測定項目が決定され、その測定項目を含む臨床検査オーダ（測定オーダ）がホストコンピュータ１００に登録される。ホストコンピュータ１００は、登録された測定オーダを臨床検査情報管理サーバ９へ送信する。臨床検査情報管理サーバ９は、測定オーダを受信し（ステップＳ１０１）、測定オーダに含まれる検体ＩＤ及び測定項目のデータを新たなレコードとして工程管理テーブルＰＴに登録する（ステップＳ１０２）。このとき、当該レコードの工程情報として、測定工程の対象である測定待機を示す情報「ＡＰ」が工程管理テーブルＰＴのフィールドＦ５に登録される。
【００４５】
上記の患者から採取された血液検体が検体容器に収容され、その検体容器に前記測定オーダに含まれる検体ＩＤを示すバーコードが印刷されたバーコードラベルが貼布される。この検体容器は、他の検体容器とともに検体ラックに保持され、当該検体ラックが検体投入装置２に載置される。検体投入装置２に載置された検体ラックは、バーコード読取ユニット２２に移送され、バーコード読取ユニット２２により検体容器のバーコードから検体ＩＤが読み出される（ステップＳ１０３）。読み出された検体ＩＤはシステム制御装置８へ送信され、システム制御装置８が当該検体ＩＤを含む測定オーダ送信要求データを生成し、臨床検査情報管理サーバ９に送信する（ステップＳ１０４）。バーコード読取結果による検体ＩＤを受信した臨床検査情報管理サーバ９は、受信した送信要求データに含まれる検体ＩＤと工程管理テーブルＰＴに登録されている検体ＩＤとを照合し、送信要求データに含まれる検体ＩＤに一致する検体ＩＤが工程管理テーブルＰＴから見つかると、その検体ＩＤに対応する測定項目を含む測定オーダをシステム制御装置８へ送信する（ステップＳ１０５）。このとき、臨床検査情報管理サーバ９は、工程管理テーブルＰＴの前記検体ＩＤを含むレコードにおいて、工程情報を「ＡＰ」から測定中であることを示す「Ｐ」へ変更する。
【００４６】
システム制御装置８は、測定オーダを受信すると、当該測定オーダに基づいて搬送先を決定し、検体ラックを前記搬送先へ搬送するように検体搬送装置３へ指示データを送信する。この指示データには測定オーダが含まれており、当該測定オーダは搬送先の血球分析装置５へと送信される。検体ラックは、検体搬送装置３によって搬送先の血球分析装置５へと搬送され、血球分析装置５によって前記測定オーダにしたがって検体の測定が行われる（ステップＳ１０６）。
【００４７】
測定が終了すると、測定結果が血球分析装置５から臨床検査情報管理サーバ９へと送信される。臨床検査情報管理サーバ９は、ハードディスク９１ｄに測定結果を格納し、また測定結果に基づいて再検の要否を判定する。再検には、血球分析装置５による再測定と、血球画像表示装置７による白血球自動分類（以下、「自動分類」という）と、顕微鏡による検査（以下、「顕微鏡検査」という。）とがある。つまり、臨床検査情報管理サーバ９は、検体の測定結果を解析することで、その検体について血球分析装置５による再測定が必要か、血球画像表示装置７による白血球自動分類が必要か、顕微鏡検査が必要か、又は再検が必要でないかを判断する（ステップＳ１０７）。また、血球分析装置５による再測定が必要と判断された場合には、その再測定の測定項目を決定する。
【００４８】
再検が不要と判断された場合には（ステップＳ１０７においてＮＯ）、処理をステップＳ１１２に進める。このとき、臨床検査情報管理サーバ９は、工程管理テーブルＰＴの前記検体ＩＤを含むレコードにおいて、工程情報の「Ｐ」を、測定結果の承認待ちであることを示す「ＰＲ」へ変更する。再検が必要と判断された場合には（ステップＳ１０７においてＹＥＳ）、工程管理テーブルＰＴの該当する検体のレコードにおけるフィールドＦ４に再検項目を登録し、フィールドＦ５に工程情報を登録する。このとき、血球分析装置５による再測定が必要と判断された場合には、工程情報として「ＡＲ」が登録され、自動分類が必要と判断された場合には、工程情報として「ＨＧ」が登録され、顕微鏡検査が必要と判断された場合には、工程情報として「ＡＦ」が登録される。
【００４９】
測定が完了した検体を収容する検体ラックは、検体搬送装置３によって搬送され、検体収容装置４に収容される。ユーザは、クライアント装置１０を操作して臨床検査情報管理サーバ９にアクセスする等して、測定が終了した検体の中に再検が必要と判断されたものがないかを確認することができる。ユーザは、再検の要否を確認した後、再検が必要と判断された検体を保持する検体ラックを再度検体投入装置２に載置する。この後、上記のステップＳ１０３及びＳ１０４と同様に検体バーコードの読み取り（ステップＳ１０８）及び臨床検査情報管理サーバ９への測定オーダ送信要求が行われる（ステップＳ１０９）。バーコード読取結果による検体ＩＤを受信した臨床検査情報管理サーバ９は、受信した送信要求データに含まれる検体ＩＤと工程管理テーブルＰＴに登録されている検体ＩＤとを照合し、送信要求データに含まれる検体ＩＤに一致する検体ＩＤが工程管理テーブルＰＴから見つかると、その検体ＩＤに対応する再検項目を含む再検オーダをシステム制御装置８へ送信する（ステップＳ１１０）。このとき、臨床検査情報管理サーバ９は、工程管理テーブルＰＴの前記検体ＩＤを含むレコードにおいて、工程情報が「ＡＲ」、「ＨＧ」又は「ＡＦ」を、再検中であることを示す「Ｒ」、「Ｇ」又は「Ｆ」へ変更する。「Ｒ」は、血球分析装置５による再検中であることを示し、「Ｇ」は、血球画像表示装置７による再検中であることを示し、「Ｆ」は、塗抹標本作製装置６により作製された血液塗抹標本を観察中であることを示す。
【００５０】
システム制御装置８は、再検オーダを受信すると、当該再検オーダに基づいて搬送先を決定し、検体ラックを前記搬送先へ搬送するように検体搬送装置３へ指示データを送信する。検体ラックは指示された搬送先へと搬送され、再検が行われる（ステップＳ１１１）。
【００５１】
再検が終了すると、再検結果が血球分析装置５又は血球画像表示装置７から臨床検査情報管理サーバ９へと送信される。臨床検査情報管理サーバ９は、ハードディスク９１ｄ内の検査情報データベースに再検結果を格納し、工程管理テーブルＰＴの当該検体の検体ＩＤを含むレコードにおいて、工程情報の「Ｒ」、「Ｇ」又は「Ｆ」を、測定結果の承認待ちであることを示す「ＲＲ」へ変更する。ユーザは、クライアント装置１０を操作して、臨床検査情報管理サーバ９にアクセスし、測定結果を表示し、その承認の入力をすることができる（ステップＳ１１２）。臨床検査情報管理サーバ９において、再検の承認の入力を受け付けた場合には（ステップＳ１１２においてＹＥＳ）、ハードディスク９１ｄ内の検査情報データベースに再検結果の承認情報を格納し、工程管理テーブルＰＴの当該検体のレコードから工程情報「ＲＲ」を削除する。以上で一検体の臨床検査が終了する。
【００５２】
図９は、本実施形態における臨床検査工程の推移、すなわち、工程管理テーブルのＦ５に登録される工程情報の推移を示す図である。図９に示すように、臨床検査工程は、測定待機中である「ＡＰ」、測定中である「Ｐ」、再検査待ちである「ＡＲ」、「ＨＧ」又は「ＡＦ」、再検査中である「Ｒ」、「Ｇ」又は「Ｆ」、及び、承認待ちである「ＰＲ」の各工程によって構成されている。再検査が不要な場合は、「ＡＲ」、「ＨＧ」、「ＡＦ」、「Ｒ」、「Ｇ」及び「Ｆ」の工程はスキップされる。
【００５３】
＜臨床検査の工程管理＞
次に、臨床検査情報管理サーバ９の臨床検査の工程管理に関する動作について説明する。まず、測定オーダ登録処理について説明する。図１０は、臨床検査情報管理サーバ９の測定オーダ登録処理の流れを示すフローチャートである。臨床検査情報管理サーバ９のＣＰＵ９１ａは、ホストコンピュータ１００からの測定オーダの受信を待機する（ステップＳ２０１においてＮＯ）。臨床検査情報管理サーバ９が測定オーダを受信すると（ステップＳ２０１においてＹＥＳ）、ＣＰＵ９１ａは、当該測定オーダを工程管理テーブルＰＴに登録する（ステップＳ２０２）。このとき、ＣＰＵ９１ａは工程管理テーブルＰＴの新たに追加したレコードのフィールドＦ５に工程情報「ＡＰ」を登録する。ステップＳ２０２の処理を実行した後、ＣＰＵ９１ａはステップＳ２０１へ処理を戻す。これにより、上記の測定オーダ登録処理が繰り返し実行される。
【００５４】
次に、臨床検査情報管理サーバ９の測定オーダ問い合わせ受け付け処理について説明する。図１１は、臨床検査情報管理サーバ９の測定オーダ問い合わせ受け付け処理の流れを示すフローチャートである。この測定オーダ問い合わせ受け付け処理は、臨床検査情報管理サーバ９がシステム制御装置８から測定オーダ送信要求データを受信したときにおける工程管理テーブルＰＴの更新に関する処理である。臨床検査情報管理サーバ９のＣＰＵ９１ａは、システム制御装置８からの測定オーダ送信要求データの受信を待機する（ステップＳ３０１においてＮＯ）。臨床検査情報管理サーバ９が測定オーダ送信要求データを受信すると（ステップＳ３０１においてＹＥＳ）、ＣＰＵ９１ａは、工程管理テーブルＰＴを参照し、受信した測定オーダ送信要求データに含まれる検体ＩＤと一致する検体ＩＤが、工程管理テーブルＰＴに測定オーダに含まれる検体ＩＤとして登録されているか否かを判定する（ステップＳ３０２）。
【００５５】
検体投入装置２に投入され、バーコード読取ユニット２２において検体バーコードが読み取られた検体について、測定オーダの問い合わせが行われるが、検体投入装置２に投入される検体には、１回目の測定（以下、「初検」という。）を実行対象だけでなく、２回目以降の測定又は顕微鏡検査、即ち再検の対象も含まれる。そして、工程管理テーブルＰＴにおいては、初検の対象の検体の工程情報は「ＡＰ」となっており、再検の対象の検体の工程情報は「ＡＲ」、「ＨＧ」又は「ＡＦ」となっている。そこで、受信した測定オーダ送信要求データに含まれる検体ＩＤと一致する検体ＩＤが工程管理テーブルＰＴに見つかった場合には（ステップＳ３０２においてＹＥＳ）、ＣＰＵ９１ａは、当該検体ＩＤを含むレコードにおける工程情報を特定する（ステップＳ３０３）。
【００５６】
ステップＳ３０３において、特定した工程情報が「ＡＰ」である場合（ステップＳ３０３において「ＡＰ」）、当該検体は測定待ちの状態にある。したがってこの場合、ＣＰＵ９１ａは、該当する測定オーダをハードディスク９１ｄから読み出し、当該測定オーダをシステム制御装置８へと送信する（ステップＳ３０４）。またＣＰＵ９１ａは、工程管理テーブルＰＴにおける当該検体のレコードに含まれる工程情報を「ＡＰ」から「Ｐ」へと更新し（ステップＳ３０５）、処理をステップＳ３０１へ戻す。
【００５７】
ステップＳ３０３において、特定した工程情報が「ＡＲ」、「ＨＧ」、又は「ＡＦ」である場合（ステップＳ３０３において「ＡＲ、ＨＧ又はＡＦ」）、当該検体は再検待ちの状態にある。したがってこの場合、ＣＰＵ９１ａは、該当する再検オーダをハードディスク９１ｄから読み出し、当該再検オーダをシステム制御装置８へと送信する（ステップＳ３０６）。またＣＰＵ９１ａは、工程管理テーブルＰＴにおける当該検体のレコードに含まれる工程情報が「ＡＲ」のときには「Ｒ」へと更新し、「ＨＧ」のときには「Ｇ」へと更新し、「ＡＦ」のときには「Ｆ」へと更新する（ステップＳ３０７）。これらの処理が終了すると、ＣＰＵ９１ａは処理をステップＳ３０１へ戻す。
【００５８】
一方、ステップＳ３０２において、受信した測定オーダ送信要求データに含まれる検体ＩＤと一致する検体ＩＤが工程管理テーブルＰＴに見つらなかった場合には（ステップＳ３０２においてＮＯ）、この検体ＩＤに対応する測定オーダは未登録である。そこでこの場合、ＣＰＵ９１ａは、工程管理テーブルＰＴに新たなレコードを追加する（ステップＳ３０８）。この処理において、ＣＰＵ９１ａは、当該レコードにおけるフィールドＦ３に、受信した測定オーダ送信要求データに含まれる当該検体ＩＤを登録し、フィールドＦ６に、オーダ不明を示す情報を登録する。この処理が終了した後、ＣＰＵ９１ａは処理をステップＳ３０１へ戻す。
【００５９】
次に、臨床検査情報管理サーバ９の検査結果受け付け処理について説明する。図１２は、臨床検査情報管理サーバ９の検査結果受け付け処理の流れを示すフローチャートである。この検査結果受け付け処理は、臨床検査情報管理サーバ９が血球分析装置５から初回の測定結果を受信し、又は血球分析装置５若しくは血球画像表示装置７から再検結果を受信したときにおける工程管理テーブルＰＴの更新に関する処理である。
【００６０】
臨床検査情報管理サーバ９のＣＰＵ９１ａは、検査結果データ（測定結果又は再検結果を示すデータ）の受信を待機する（ステップＳ４０１においてＮＯ）。臨床検査情報管理サーバ９が検査結果データを受信すると（ステップＳ４０１においてＹＥＳ）、ＣＰＵ９１ａは、受信した検査結果データに含まれる検体ＩＤと工程管理テーブルＰＴの各レコードの検体ＩＤとを照合し、検体ＩＤが一致するレコードを検索し、当該レコードに含まれる工程情報を参照することにより、その検査結果データが初回の測定結果であるのか、再検結果であるのかを特定する（ステップＳ４０２）。
【００６１】
ステップＳ４０２において検査結果データが初回の測定結果である場合（ステップＳ４０２において「測定結果」）、ＣＰＵ９１ａは、ハードディスク９１ｄの検査情報データベースに当該測定結果を登録し（ステップＳ４０３）、当該測定結果の解析処理を実行する（ステップＳ４０４）。この解析処理においては、測定結果が正常であるか否か、測定結果が異常である場合には、再検が必要か否か、再検が必要な場合には、血球分析装置５による再測定、自動分類、及び顕微鏡検査の何れが必要であるかが判定され、血球分析装置５による再測定が必要な場合には、その再検項目が決定される。
【００６２】
上記のような解析処理を実行した後、再検が必要ない場合と判定されたには（ステップＳ４０５においてＮＯ）、ＣＰＵ９１ａは工程管理テーブルＰＴにおける当該検体のレコードに含まれる工程情報「Ｐ」を「ＰＲ」に変更し（ステップＳ４０６）、処理をステップＳ４０１へ戻す。一方、再検が必要と判定された場合には（ステップＳ４０５においてＹＥＳ）、ＣＰＵ９１ａは、工程管理テーブルＰＴにおける当該検体のレコードにおいて再検項目を登録し、血球分析装置５による再測定が必要な場合には当該レコードの工程情報を「Ｐ」から「ＡＲ」へと変更し、自動分類が必要な場合には当該レコードの工程情報を「Ｐ」から「ＨＧ」へと変更し、顕微鏡検査が必要な場合には当該レコードの工程情報を「Ｐ」から「ＡＦ」へと変更する（ステップＳ４０７）。この処理を終了した後、ＣＰＵ９１ａはステップＳ４０１へ処理を戻す。
【００６３】
ステップＳ４０２において検査結果データが再検結果である場合（ステップＳ４０２において「再検結果」）、ＣＰＵ９１ａは、ハードディスク９１ｄの検査情報データベースに当該再検結果を登録し（ステップＳ４０８）、工程管理テーブルＰＴにおける当該検体のレコードに含まれる工程情報「Ｒ」、「Ｇ」又は「Ｆ」を「ＲＲ」へ変更する（ステップＳ４０９）。これらの処理が終了すると、ＣＰＵ９１ａは処理をステップＳ４０１へ戻す。
【００６４】
次に、臨床検査情報管理サーバ９のエラー通知情報受け付け処理について説明する。図１３は、臨床検査情報管理サーバ９のエラー通知情報受け付け処理の流れを示すフローチャートである。このエラー通知情報受け付け処理は、臨床検査情報管理サーバ９がエラー通知情報を受け付けたときにおける工程管理テーブルＰＴの更新に関する処理である。
【００６５】
検体投入装置２、システム制御装置８、血球分析装置５、塗抹標本作製装置６、血球画像表示装置７は、検体に関するエラー又は装置に関するエラーが発生したときに、エラー通知情報を臨床検査情報管理サーバ９へ送信する。エラー通知情報には、エラーの種類に応じたエラーコードが含まれており、そのエラーの種類を特定することが可能である。また、エラー通知情報には、そのエラーが検体に関するものである場合、当該検体の検体ＩＤが含まれる。例えば、バーコード読取ユニット２２においてバーコードの読取エラーが発生したときには、バーコード読取エラーのエラーコードが含まれたエラー通知情報が送信される。また、検体量が規定量よりも少なく、測定又は塗抹標本の作製を行うことができない場合には、検体量不足を示すエラーコード及び当該検体の検体ＩＤを含むエラー通知情報が送信される。さらに、測定結果の数値、スキャッタグラムにおける分画等が異常である場合には、当該測定結果、測定結果異常を示すエラーコード及び当該検体の検体ＩＤを含むエラー通知情報が送信される。
【００６６】
臨床検査情報管理サーバ９のＣＰＵ９１ａは、上記のようなエラー通知情報の受信を待機する（ステップＳ５０１においてＮＯ）。臨床検査情報管理サーバ９がエラー通知情報を受信すると（ステップＳ５０１においてＹＥＳ）、ＣＰＵ９１ａは、受信したエラー通知情報を解析し、当該エラー通知情報に係るエラーの種類を判別する（ステップＳ５０２）。
【００６７】
エラーの種類がバーコード読取エラーの場合には（ステップＳ５０２において「バーコード読取エラー」）、ＣＰＵ９１ａは、工程管理テーブルＰＴに当該エラー通知情報に係る新規レコードを登録する（ステップＳ５０３）。この処理においては、ＣＰＵ９１ａは、当該バーコード読取エラーに係る検体ＩＤに代えて、当該エラー通知情報に対して固有のエラー検体ＩＤを生成し、新規レコードのフィールドＦ３にエラー検体ＩＤを、フィールドＦ６にバーコード読取エラーを示すエラー情報を登録する。また、このときＣＰＵ９１ａは当該レコードのフィールドＦ５から工程情報を削除する。この処理を終了した後、ＣＰＵ９１ａは処理をステップＳ５０１へ戻す。
【００６８】
エラーの種類が検体量不足である場合には（ステップＳ５０２において「検体量不足」）、ＣＰＵ９１ａは、工程管理テーブルＰＴにおいて当該エラー通知情報に含まれる検体ＩＤが登録されているレコードを更新する（ステップＳ５０４）。この処理では、ＣＰＵ９１ａは、工程管理テーブルＰＴにおいて、フィールドＦ１に当該エラー通知情報に含まれる検体ＩＤと同一の検体ＩＤが登録されているレコードを検索し、このレコードのフィールドＦ６に検体量不足のエラー情報を登録する。また、このときＣＰＵ９１ａは当該レコードのフィールドＦ５から工程情報を削除する。この処理を終了した後、ＣＰＵ９１ａは処理をステップＳ５０１へ戻す。
【００６９】
エラーの種類が測定結果異常である場合には（ステップＳ５０２において「測定結果異常」）、ＣＰＵ９１ａは、検査情報データベースに当該エラー通知情報に含まれる測定結果を登録し（ステップＳ５０５）、工程管理テーブルＰＴにおいて当該エラー通知情報に含まれる検体ＩＤが登録されているレコードを更新する（ステップＳ５０６）。ステップＳ５０６の処理では、ＣＰＵ９１ａは、工程管理テーブルＰＴにおいて、フィールドＦ１に当該エラー通知情報に含まれる検体ＩＤと同一の検体ＩＤが登録されているレコードを検索し、このレコードのフィールドＦ６に測定結果異常のエラー情報を登録する。また、このときＣＰＵ９１ａは当該レコードのフィールドＦ５から工程情報を削除する。この処理を終了した後、ＣＰＵ９１ａは処理をステップＳ５０１へ戻す。
【００７０】
上記のエラー以外にも、種々の種類のエラーが存在する。ここでは省略するが、エラー通知情報受け付け処理では、ＣＰＵ９１ａがこれらのエラー通知情報を受け付けたときに、そのエラーの種類を検出し、エラーの種類に応じた処理を実行する。
【００７１】
また、上記以外にも、測定が実行されているはずであるが測定オーダの送信要求がなかった検体情報が工程管理テーブルＰＴから特定され、このレコードのフィールドＦ６に「ＩＤなし」を示すエラー情報が登録され、フィールドＦ５から工程情報が削除される処理が行われる。
【００７２】
＜臨床検査情報管理画面の表示＞
次に、臨床検査情報管理サーバ９の表示に関する動作について説明する。図１４は、臨床検査情報管理サーバ９の臨床検査情報管理画面の表示処理の流れを示すフローチャートである。ユーザは臨床検査情報管理サーバ９を使用して臨床検査に係る検体の情報を閲覧又は操作する場合、当該臨床検査情報管理サーバ９にログインする必要がある。まずＣＰＵ９１ａは、ユーザが臨床検査情報管理システムにログインするためのログイン画面を画像表示部９２に表示させる（ステップＳ６０１）。このログイン画面（図示せず）には、ユーザ名及びパスワードを入力する入力ボックスと、入力したユーザ名及びパスワードを確定するためのＯＫボタンと、入力したユーザ名及びパスワードをキャンセルするためのキャンセルボタンとが設けられている。ユーザは、ユーザ名及びそれに対応するパスワードを入力し、ＯＫボタンを選択する操作を行う。ＣＰＵ９１ａは、このようにして入力を受け付けたユーザ名及びパスワードを用いてユーザ認証処理を実行する（ステップＳ６０２）。
【００７３】
ユーザ認証処理において、ユーザ名及びパスワードが登録されているものと一致せず、ユーザの認証が失敗した場合には（ステップＳ６０２においてＮＯ）、ＣＰＵ９１ａは処理をステップＳ６０１に戻して再度ログイン画面を表示させる。一方、ユーザ認証処理において、ユーザ名及びパスワードが登録されているものと一致し、ユーザの認証が成功した場合には（ステップＳ６０２においてＹＥＳ）、ＣＰＵ９１ａは、当該ユーザの設定情報をハードディスク９１ｄから読み出す（ステップＳ６０３）。その後ＣＰＵ９１ａは、工程管理テーブルＰＴを参照して、工程情報毎及びエラー情報毎に検体数（レコード数）を集計し（ステップＳ６０４）、ステップＳ６０３で読み出した設定情報及びステップＳ６０４の集計結果に基づいてメニュー画面を生成し（ステップＳ６０５）、当該メニュー画面Ｓ６０５を画像表示部９２に表示させる（ステップＳ６０６）。
【００７４】
図１５は、メニュー画面の一例を示す図である。図に示すように、メニュー画面Ｗ１は画面上部のメニューバー領域Ａ１と、その下側のツールバー領域Ａ２と、当該ツールバー領域Ａ２の下側に設けられ、メニュー画面Ｗ１の大部分を占めるワーク領域Ａ３とを有する。これらの領域Ａ１〜Ａ３は、臨床検査情報管理サーバ９の表示画面の全てにおいて共通して設けられている。メニューバー領域Ａ１には、「Ｆｉｌｅ（ファイル）」、「Ｅｎｑｕｉｒｙ（情報照会）」、「Ａｄｍｉｎｉｓｔｒａｔｉｏｎ（管理）」等のメニューが並んでおり、それぞれのメニューはマウスの操作によって選択されることで、プルダウンメニューを表示するようになっている。各プルダウンメニューには、複数のメニューが並んでおり、これらのうちの１つをマウス操作によって選択することで、当該メニューを実行することができる。ツールバー領域Ａ２には、複数のアイコンが並んでいる。各アイコンの下側には、「Ｈｏｍｅ（ホーム）」、「Ｅｎｑｕｉｒｙ（情報照会）」等のアイコンの名称が表示されている。
【００７５】
ワーク領域Ａ３は、図１５に示すように左側の固定アイコン領域Ａ３１と、右側の可変アイコン領域Ａ３２とを含む。固定アイコン領域Ａ３１には、複数のアイコンＱ１１〜Ｑ１９が設けられている。この固定アイコン領域Ａ３１には、ユーザの設定によって表示するアイコンを決めることができず、予め定められたアイコンＱ１１〜Ｑ１９が固定的に表示される。
【００７６】
アイコンＱ１１の横には、「No ID or Invalid ID（ＩＤなし又は無効なＩＤ）」の名称（文字列）Ｎ１１が表示されており、当該アイコンＱ１１には、ＩＤが不明の検体に関する情報を一覧表示するＩＤ不明検体リスト画面に表示を切り替える機能が割り当てられている。ＩＤ不明検体リスト画面に表示される検体に関する情報が存在する場合には、その検体の数を示す検体数情報が名称Ｎ１１の横に表示される。
【００７７】
アイコンＱ１２の横には、「Missing LIS order（ＬＩＳオーダ不明）」の名称（文字列）Ｎ１２が表示されており、当該アイコンＱ１２には、測定オーダが不明の検体に関する情報を一覧表示する測定オーダ不明検体リスト画面に表示を切り替える機能が割り当てられている。測定オーダ不明検体リスト画面に表示される検体に関する情報が存在する場合には、その検体の数を示す検体数情報が名称Ｎ１２の横に表示される。
【００７８】
アイコンＱ１３の横には、「Awaiting processing（測定待ち）」の名称（文字列）Ｎ１３が表示されており、当該アイコンＱ１３には、測定オーダは取得されたが未測定の検体に関する情報を一覧表示する測定待ち検体リスト画面に表示を切り替える機能が割り当てられている。測定待ち検体リスト画面に表示される検体に関する情報が存在する場合には、その検体の数を示す検体数情報Ｍ１３が名称Ｎ１３の横に表示される。
【００７９】
アイコンＱ１４の横には、「Awaiting reprocessing（再測定待ち）」の名称（文字列）Ｎ１４が表示されており、当該アイコンＱ１４には、再検オーダは取得されたが再測定が行われていない検体に関する情報を一覧表示する再測定待ち検体リスト画面に表示を切り替える機能が割り当てられている。再測定待ち検体リスト画面に表示される検体に関する情報が存在する場合には、その検体の数を示す検体数情報Ｍ１４が名称Ｎ１４の横に表示される。
【００８０】
アイコンＱ１５の横には、「Awaiting film review（顕微鏡検査待ち）」の名称（文字列）Ｎ１５が表示されており、当該アイコンＱ１５には、再検オーダは取得されたが顕微鏡検査が行われていない検体に関する情報を一覧表示する顕微鏡検査待ち検体リスト画面に表示を切り替える機能が割り当てられている。顕微鏡検査待ち検体リスト画面に表示される検体に関する情報が存在する場合には、その検体の数を示す検体数情報Ｍ１５が名称Ｎ１５の横に表示される。
【００８１】
アイコンＱ１６の横には、「Repeats review（再検レビュー）」の名称（文字列）Ｎ１６が表示されており、当該アイコンＱ１６には、測定結果の承認が行われていない検体に関する情報を一覧表示する承認待ち検体リスト画面に表示を切り替える機能が割り当てられている。承認待ち検体リスト画面に表示される検体に関する情報が存在する場合には、その検体の数を示す検体数情報Ｍ１６が名称Ｎ１６の横に表示される。
【００８２】
アイコンＱ１７の横には、「Locked samples（ロック検体）」の名称（文字列）Ｎ１７が表示されており、当該アイコンＱ１７には、管理者権限を有するユーザ（スーパーユーザ）が測定結果を再度検討するためにロック（変更、編集、削除が不可な状態にする操作）をした検体に関する情報を一覧表示するロック検体リスト画面に表示を切り替える機能が割り当てられている。ロック検体リスト画面に表示される検体に関する情報が存在する場合には、その検体の数を示す検体数情報が名称Ｎ１７の横に表示される。
【００８３】
アイコンＱ１８の横には、「Awaiting sign-out（サインアウト待ち）」の名称（文字列）Ｎ１８が表示されており、当該アイコンＱ１８には、所定のサインアウト待ち検体に関する情報を一覧表示するサインアウト待ち検体リスト画面に表示を切り替える機能が割り当てられている。サインアウト待ち検体リスト画面に表示される検体に関する情報が存在する場合には、その検体の数を示す検体数情報が名称Ｎ１８の横に表示される。
【００８４】
アイコンＱ１９の横には、「Alerts（警告）」の名称（文字列）Ｎ１８が表示されており、当該アイコンＱ１９には、異常が検出されたことにより警告が発せられた検体に関する情報を一覧表示する警告検体リスト画面に表示を切り替える機能が割り当てられている。警告検体リスト画面に表示される検体に関する情報が存在する場合には、その検体の数を示す検体数情報Ｍ１９が名称Ｎ１９の横に表示される。
【００８５】
可変アイコン領域Ａ３２には、複数のアイコンＱ２１〜Ｑ２３が設けられている。この可変アイコン領域Ａ３１には、ユーザの設定によって表示するアイコンを決めることができ、ユーザにより表示設定されたアイコンＱ２１〜Ｑ２３が表示される。ユーザの設定により、可変アイコン領域Ａ３２に表示するアイコンを変更することも可能である。
【００８６】
なお、ここでいう「アイコン」とは、表示されている画面を予め定められた所定の画面に変更するための移行子の一例であり、特定の機能が割り当てられ、当該機能を象徴的に表すようにデザインされた画像をいい、ウィンドウ内において表示されるものを含む。
【００８７】
ここで、固定アンコン領域Ａ３１に表示されるアイコンの名称Ｎ１１〜Ｎ１９の横に表示される検体数情報について詳細に説明する。上記のステップＳ６０４において、ＣＰＵ９１ａは、工程管理テーブルＰＴにおいて工程情報が同一のレコード数を工程情報毎に集計する。例えば、工程情報が「ＡＰ」であるレコード数、工程情報が「ＡＲ」であるレコード数、工程情報が「ＡＦ」であるレコード数のそれぞれが計数される。また、ステップＳ６０４の処理において、ＣＰＵ９１ａは、工程管理テーブルＰＴにおいてエラー情報が登録されているレコード数を計数し、またエラー情報が同一のレコード数をエラー情報毎に集計する。例えば、エラー情報が「オーダ不明」であるレコード数、エラー情報が「バーコード読取エラー」であるレコード数、エラー情報が「ＩＤなし」であるレコード数のそれぞれが計数される。
【００８８】
上記のように集計した後、ＣＰＵ９１ａはステップＳ６０５において、各アイコンの名称の横に、対応する工程情報又はエラー情報についての集計結果である検体数情報が表されたメニュー画面を生成する。さらに詳細に説明すると、名称Ｎ１１の横には、エラー情報が「ＩＤなし」であるレコード数が表示され、名称Ｎ１２の横には、エラー情報が「オーダ不明」であるレコード数が検体数情報として表示される。また、名称Ｎ１３の横には工程情報が「ＡＰ」であるレコード数が、名称Ｎ１４の横には工程情報が「ＡＲ」であるレコード数が、名称Ｎ１５の横には工程情報が「ＡＦ」であるレコード数が、名称Ｎ１６の横には工程情報が「ＲＲ」であるレコード数が、名称Ｎ１９の横にはエラー情報が登録されているレコードの総数が、それぞれ検体数情報として表示される。
【００８９】
このようなメニュー画面が表示されている状態において、ユーザは、ワーク領域Ａ３に表示されているアイコンをマウスの左ボタンをクリックする操作を行うことにより選択することができ、アイコンが選択されると、そのアイコンに対応する画面が表示される。つまり、例えばアイコンＱ１１が選択されるとＩＤ不明検体リスト画面に表示が切り替わり、アイコンＱ１２が選択されると測定オーダ不明検体リスト画面に表示が切り替わる。ＣＰＵ９１ａは、このようなアイコンの選択、つまりユーザからの画面表示切り替え指示を受け付けたか否かを判定する（ステップＳ６０７）。
【００９０】
ステップＳ６０７において画面表示切り替え指示を受け付けていない場合には（ステップＳ６０７においてＮＯ）、ＣＰＵ９１ａは前回のメニュー画面の更新から所定時間（例えば、２０秒）が経過したか否か（それ以前にメニュー画面が更新されていない場合には、メニュー画面が表示されてから所定時間が経過したか否か）を判定する（ステップＳ６０８）。ステップＳ６０８において所定時間が経過していない場合には（ステップＳ６０８においてＮＯ）、ＣＰＵ９１ａはログアウトの指示を受け付けたか否かを判定する（ステップＳ６０９）。ログアウトの指示を受け付けた場合には（ステップＳ６０９においてＹＥＳ）、ログアウト処理を実行し（ステップＳ６１０）、処理をステップＳ６０１へ処理を戻す。
【００９１】
一方、ステップＳ６０９においてログアウトの指示を受け付けていない場合には（ステップＳ６０９においてＮＯ）、ＣＰＵ９１ａは処理をステップＳ６０８に戻し、所定時間が経過するまでステップＳ６０８、Ｓ６０９の処理を繰り返す。ステップＳ６０９において所定時間が経過した場合には（ステップＳ６０９においてＹＥＳ）、ＣＰＵ９１ａは、ステップＳ６０４に処理を戻し、再度工程情報毎及びエラー情報毎に検体数を集計し、メニュー画面を再生成し、メニュー画面の表示を更新する。
【００９２】
一方、ステップＳ６０７において画面表示切り替え指示を受け付けた場合には（ステップＳ６０７においてＹＥＳ）、選択されたアイコンに対応する画面に表示を切り替える（ステップＳ６１１）。ＣＰＵ９１ａは、ユーザから当該表示画面に応じた情報処理の指示を受け付けたか否かを判定し（ステップＳ６１２）、指示を受け付けていない場合には、処理をステップＳ６１４へ移す。一方、表示画面に応じた情報処理の指示を受け付けた場合には（ステップＳ６１２においてＹＥＳ）、ＣＰＵ９１ａは当該表示画面に応じた情報処理を実行し（ステップＳ６１３）、ステップＳ６１４に処理を移す。
【００９３】
ステップＳ６１３及びＳ６１４の処理について詳しく説明する。例えば、メニュー画面Ｗ１においてアイコンＱ１３が選択された場合には、測定待ち検体リスト画面が表示される。図１６は、測定待ち検体リスト画面の一例を示す図である。図に示すように、測定待ち検体リスト画面Ｗ２にも、メニュー画面Ｗ１と同様に、メニューバー領域Ａ１、ツールバー領域Ａ２、及びワーク領域Ａ２３が設けられている。測定待ち検体リスト画面Ｗ２のメニューバー領域Ａ１に含まれるメニューは、メニュー画面Ｗ１のメニューバー領域Ａ１のメニューと同一である。また、測定待ち検体リスト画面Ｗ２のツールバー領域Ａ２に含まれるアイコンは、メニュー画面Ｗ１のツールバー領域Ａ２のアイコンと同一である。これらのメニュー画面Ｗ１と同一のメニュー及びアイコンは、メニュー画面Ｗ１において実行可能な処理を指示するためのものであり、これらの処理については測定待ち検体リスト画面においても実行指示を与えることが可能である。
【００９４】
また、測定待ち検体リスト画面Ｗ２のワーク領域Ａ２３には、一又は複数の検体に関する情報を表形式で一覧表示可能となっている。このワーク領域Ａ２３には、各行に１検体ずつ検体情報が表示される。ワーク領域Ａ２３には、複数のカラム（列）が設けられており、これらのカラムには、検体ＩＤ、患者の氏名、臨床検査情報管理サーバが測定オーダを受け付けた時刻、及び測定の優先度の情報が各別に表示される。このように表示された検体情報は、行毎にマウスの左ボタンをクリックする操作によって選択することができる。また、複数の検体情報を一度に選択することも可能である。ワーク領域Ａ２３の下端付近には、「Ｅｎｑｕｉｒｙ（情報照会）」のボタンＢ２１、「Ｒｅｆｒｅｓｈ（画面更新）」のボタンＢ２２、「Ｅｘｉｔ（表示終了）」のボタンＢ２３の３つのボタンが表示されている。ボタンＢ２１は、検体の詳細な情報を表示するためのボタンであり、検体情報が選択された状態で、当該ボタンＢ２１がマウスの左ボタンをクリックする操作によって選択されると、選択された検体情報のより詳細な情報が表示される。また、ボタンＢ２２は画面更新のためのボタンであり、ボタンＢ２２が選択されると、最新の検体情報により画面が更新される。ボタンＢ２３は測定待ち検体リスト画面Ｗ２の表示を終了するためのボタンであり、ボタンＢ２３が選択されると、メニュー画面Ｗ１への表示切り替え指示がＣＰＵ９１ａに与えられ、メニュー画面Ｗ１へ表示が切り替えられる。
【００９５】
かかる測定待ち検体リスト画面Ｗ２に表示される検体情報は、工程管理テーブルＰＴにおいて工程情報「ＡＰ」を有するレコードに係る検体情報である。つまり、工程管理テーブルＰＴにおいて工程情報が「ＡＰ」である検体についての検体情報が、測定待ち検体リスト画面Ｗ２に一覧表示される。この測定待ち検体リスト画面Ｗ２に表示される検体情報の数は、メニュー画面Ｗ１において名称Ｎ１３の横に、アイコンＱ１３と対応付けられて表示された検体数情報Ｍ１３の数と同一である。即ち、アイコンＱ１３に対応付けられて表示された検体数情報Ｍ１３は、そのアイコンＱ１３が選択されたときに表示される測定待ち検体リスト画面Ｗ２において表示される検体情報の数を示しており、これにより、測定待ち検体リスト画面Ｗ２を表示しなくても、ユーザはメニュー画面Ｗ１を見るだけで、測定待ち検体リスト画面Ｗ２に表示される測定工程の待ちの検体（測定工程の対象の検体）が存在するか否か、またいくつ存在するかを知ることができる。
【００９６】
また、メニュー画面Ｗ１においてアイコンＱ１４が選択された場合には、再測定待ち検体リスト画面が表示される。図１７は、再測定待ち検体リスト画面の一例を示す図である。上述した測定待ち検体リスト画面Ｗ２と同様に、再測定待ち検体リスト画面Ｗ３にも、メニューバー領域Ａ１、ツールバー領域Ａ２、及びワーク領域Ａ３３が設けられている。
【００９７】
再測定待ち検体リスト画面Ｗ３のワーク領域Ａ３３には、一又は複数の検体に関する情報を表形式で一覧表示可能となっている。このワーク領域Ａ３３には、各行に１検体ずつ検体情報が表示される。ワーク領域Ａ３３には、複数のカラム（列）が設けられており、これらのカラムには、どのような種類の再検が要求されているかを示す「Ａｃｔｉｏｎ（アクション）」、その検体が保持されている検体ラック及び保持位置を示す「Ｐｏｓｉｔｉｏｎ（位置）」、「Ｓａｍｐｌｅ  ＩＤ（検体ＩＤ）」、「Ｎａｍｅ（患者の氏名）」、臨床検査情報管理サーバが測定オーダを受け付けた時刻を示す「Ｔｉｍｅ（時刻）」、及び測定の優先度を示す「Ｐｒｉｏｒｉｔｙ（優先度）」の情報が各別に表示される。このように表示された検体情報は、行毎にマウスの左ボタンをクリックする操作によって選択することができる。また、複数の検体情報を一度に選択することも可能である。ワーク領域Ａ３３の下端付近には、「Ｅｎｑｕｉｒｙ（情報照会）」のボタンＢ３１、「Ｒｅｆｒｅｓｈ（画面更新）」のボタンＢ３２、「Ｅｘｉｔ（表示終了）」のボタンＢ３３の３つのボタンが表示されている。ボタンＢ３１は、検体の詳細な情報を表示するためのボタンであり、検体情報が選択された状態で、当該ボタンＢ３１が選択されると、選択された検体情報のより詳細な情報が表示される。また、ボタンＢ３２は画面更新のためのボタンであり、ボタンＢ３２が選択されると、最新の検体情報により画面が更新される。ボタンＢ３３は再測定待ち検体リスト画面Ｗ３の表示を終了するためのボタンであり、ボタンＢ３３が選択されると、メニュー画面Ｗ１への表示切り替え指示がＣＰＵ９１ａに与えられ、メニュー画面Ｗ１へ表示が切り替えられる。
【００９８】
かかる再測定待ち検体リスト画面Ｗ３に表示される検体情報は、工程管理テーブルＰＴにおいて工程情報「ＡＲ」を有するレコードに係る検体情報である。つまり、工程管理テーブルＰＴにおいて工程情報が「ＡＲ」である検体についての検体情報が、再測定待ち検体リスト画面Ｗ３に一覧表示される。この再測定待ち検体リスト画面Ｗ３に表示される検体情報の数は、メニュー画面Ｗ１において名称Ｎ１４の横に、アイコンＱ１４と対応付けられて表示された検体数情報Ｍ１４の数と同一である。即ち、アイコンＱ１４に対応付けられて表示された検体数情報Ｍ１４は、そのアイコンＱ１４が選択されたときに表示される再測定待ち検体リスト画面Ｗ３において表示される検体情報の数を示しており、これにより、再測定待ち検体リスト画面Ｗ３を表示しなくても、ユーザはメニュー画面Ｗ１を見るだけで、再測定待ち検体リスト画面Ｗ３に表示される再測定工程の待ちの検体（再測定工程の対象の検体）が存在するか否か、またいくつ存在するかを知ることができる。
【００９９】
また、メニュー画面Ｗ１においてアイコンＱ１６が選択された場合には、承認待ち検体リスト画面が表示される。図１８は、承認待ち検体リスト画面の一例を示す図である。上述した測定待ち検体リスト画面Ｗ２と同様に、承認待ち検体リスト画面Ｗ４にも、メニューバー領域Ａ１、ツールバー領域Ａ２、及びワーク領域Ａ４３が設けられている。
【０１００】
承認待ち検体リスト画面Ｗ４のワーク領域Ａ４３には、一又は複数の検体に関する情報を表形式で一覧表示可能となっている。このワーク領域Ａ４３には、各行に１検体ずつ検体情報が表示される。ワーク領域Ａ４３には、複数のカラムが設けられており、これらのカラムには、「Ｓａｍｐｌｅ  ＩＤ（検体ＩＤ）」、「Ｎａｍｅ（患者の氏名）」、「Ｔｉｍｅ（時刻）」、及び「Ｐｒｉｏｒｉｔｙ（優先度）」の情報が各別に表示される。このように表示された検体情報は、行毎にマウスの左ボタンをクリックする操作によって選択することができる。また、複数の検体情報を一度に選択することも可能である。ワーク領域Ａ４３の下端付近には、「Ｅｎｑｕｉｒｙ（情報照会）」のボタンＢ４１、「Ｒｅｆｒｅｓｈ（画面更新）」のボタンＢ４２、「Ｅｘｉｔ（表示終了）」のボタンＢ４３の３つのボタンが表示されている。これらのボタンＢ４１〜Ｂ４３の機能は、ボタンＢ２１〜Ｂ２３の機能と同様であるので、その説明を省略する。
【０１０１】
検体情報が選択された状態で、ボタンＢ４１が選択されると、選択された検体情報のより詳細な情報を含む詳細情報画面が表示される。図１９は、詳細情報画面の一部を示す図である。詳細情報画面Ｗ５には、検体ＩＤ、患者番号、患者氏名、緊急度、性別、詳細な検査結果、再検結果が表示される。また、詳細情報画面Ｗ５には、承認ボタン（図示せず）が設けられており、ユーザは再検結果を含む詳細な検体の情報を確認した後、承認ボタンを選択することにより、その再検結果を承認することができる。再検結果が承認されると、ＣＰＵ９１ａによって工程管理テーブルＰＴの当該検体情報に係るレコードが更新され、当該レコードに含まれる工程情報「ＲＲ」が削除される。
【０１０２】
かかる承認待ち検体リスト画面Ｗ４に表示される検体情報は、工程管理テーブルＰＴにおいて工程情報「ＲＲ」を有するレコードに係る検体情報である。つまり、工程管理テーブルＰＴにおいて工程情報が「ＲＲ」である検体についての検体情報が、承認待ち検体リスト画面Ｗ４に一覧表示される。この承認待ち検体リスト画面Ｗ４に表示される検体情報の数は、メニュー画面Ｗ１において名称Ｎ１６の横に、アイコンＱ１６と対応付けられて表示された検体数情報Ｍ１６の数と同一である。即ち、アイコンＱ１６に対応付けられて表示された検体数情報Ｍ１６は、そのアイコンＱ１６が選択されたときに表示される承認待ち検体リスト画面Ｗ４において表示される検体情報の数を示しており、これにより、承認待ち検体リスト画面Ｗ４を表示しなくても、ユーザはメニュー画面Ｗ１を見るだけで、承認待ち検体リスト画面Ｗ４に表示される承認工程の待ちの検体（承認工程の対象の検体）が存在するか否か、またいくつ存在するかを知ることができる。
【０１０３】
ステップＳ６１４において、ＣＰＵ９１ａは、メニュー画面への表示切り替え指示（上述したボタンＢ２３、Ｂ３３、Ｂ４３の選択）があったか否かを判定し（ステップＳ６１４）、メニュー画面の表示切り替え指示がない場合には（ステップＳ６１４においてＮＯ）、処理をステップＳ６１２に戻す。一方、ステップＳ６１４において、メニュー画面の表示切り替え指示を受け付けた場合には（ステップＳ６１４においてＹＥＳ）、ＣＰＵは処理をステップＳ６０４に戻し、再度工程管理テーブルＰＴの集計処理を実行し、メニュー画面を画像表示部９２に表示させる。
【０１０４】
以上詳述した如く、本実施の形態に係る臨床検査システム１においては、アイコンＱ１１〜Ｑ１９の横に、そのアイコンによって呼び出される画面において表示されるべき検体数が表示されるため、各画面において確認すべき検体情報の有無、また確認すべき検体が存在する場合にはその数を、各画面を表示しなくともメニュー画面Ｗ１において容易に確認することができる。特に、アイコンＱ１３〜Ｑ１６には、臨床検査の特定の工程（測定工程、再測定工程、顕微鏡検査工程、承認工程）にある検体に関する情報が表示される画面を呼び出す機能が割り当てられており、これらのアイコンＱ１３〜Ｑ１６に対応付けられて、各工程の対象である検体の数が表示されている。したがって、ユーザは、メニュー画面を確認するだけで、各工程にある検体の有無、及び対象となる検体が存在する場合にはその数を容易に把握することができる。
【０１０５】
本実施の形態においては、臨床検査情報管理サーバ９においてメニュー画面を表示する場合についてのみ説明したが、クライアント装置１０においてもメニュー画面及びその他の臨床検査画面を表示することが可能である。この場合は、クライアント装置１０を用いてユーザが臨床検査情報管理サーバ９にアクセスすると、クライアント装置１０においてログイン画面が表示される。ユーザがユーザ名及びパスワードをクライアント装置１０に入力し、ログインの指示を行うと、ログイン要求が臨床検査情報管理サーバ９へと送信され、ログイン認証が行われて、ログインが成功すると当該ユーザの設定情報が読み出され、固定管理テーブルＰＴの集計処理が行われる。このようにして得られた設定情報及び集計処理結果が臨床検査情報管理サーバ９からクライアント装置１０へ送信され、クライアント装置１０はこれらの情報に基づいてメニュー画面を生成し、表示することとなる。また、アイコンＱ１１〜Ｑ１９が選択された場合には、その選択されたアイコンに応じた要求データが臨床検査情報管理サーバ９へ送信され、選択されたアイコンによって呼び出される画面の表示に必要なデータが臨床検査情報管理サーバ９からクライアント装置１０へ送信される。クライアント装置１０は、このデータに基づいて画面を表示することとなる。なお、コンピュータを臨床検査情報管理システムのクライアント装置１０として機能させるための専用プログラムであるコンピュータプログラム１１４ａによって上記の臨床検査画面を表示させるのではなく、クライアント装置１０において実行されたＷＷＷブラウザにより上記の臨床検査画面を表示する構成としてもよい。この場合、臨床検査情報管理サーバ９がＷＷＷサーバの機能を有し、クライアント装置１０からの要求に応じて、メニュー画面、測定待ち検体リスト画面、再測定待ち検体リスト画面、顕微鏡検査待ち検体リスト画面、承認待ち検体リスト画面等のＨＴＭＬデータを生成し、これをクライアント装置１０へ送信することで、臨床検査情報管理装置９のＣＰＵ９１ａが、クライアント装置１０の画像表示部１１２に上記の臨床検査画面を表示させるようにクライアント装置１０を制御することとなる。
【０１０６】
（その他の実施の形態）
なお、上述した実施の形態においては、メニュー画面Ｗ１にアイコンＱ１１〜Ｑ１９を設け、アイコンＱ１１〜Ｑ１９が選択されたときに、選択されたアイコンに対応する画面に表示が移行する構成について述べたが、これに限定されるものではない。メニュー画面にアイコン以外の移行子、例えば、ボタン又はリンク（文字列）を表示し、これらのボタン又はリンクを選択することで、表示画面を移行させる構成としてもよい。
【０１０７】
また、アイコンＱ１１〜Ｑ１９に対応する画面に検体に関する情報が表示されるべき検体が存在する場合、その検体数をアイコンＱ１１〜Ｑ１９に対応付けて表示する構成について述べたが、これに限定されるものではない。アイコンＱ１１〜Ｑ１９に対応する画面に検体に関する情報が表示されるべき検体が存在する場合に、アイコンに対応付けて数字の代わりに記号（例えば、「※」「＄」、「＃」等）を表示してもよいし、そのアイコンＱ１１〜Ｑ１９の表示を、そのような検体が存在しない場合とは異なる形態（色、模様、大きさ等）で表示する構成としてもよいし、アイコンＱ１１〜Ｑ１９の横に表示されている名称Ｎ１１〜Ｎ１９を、そのような検体が存在しない場合とは異なる字体（太字、斜体、フォント等）で表示する構成としてもよい。
【０１０８】
また、上述した実施の形態においては、工程情報が「ＡＰ」であるレコード数、「ＡＲ」であるレコード数、「ＡＦ」であるレコード数等が、メニュー画面Ｗ１に表示する構成について述べたが、これに限定されるものではなく、例えば、工程情報が「Ｐ」であるレコード数、工程情報が「ＰＲ」であるレコード数等、他の工程にある検体の数をメニュー画面Ｗ１に表示してもよい。
【０１０９】
また、上述した実施の形態においては、レコード数が「０」である工程については、何も表示しないことによって、該当する検体が無いことを示しているが、レコード数が「０」である工程については、各名称（文字列）とともに「（０）」を表示してもよい。この場合のメニュー画面Ｗ１が図２０に示されている。
【０１１０】
また、上述した実施の形態においては、臨床検査情報管理サーバ９が、血液分析システム２００と、血球計数装置３００と、血液凝固測定装置４００と、尿分析装置５００と、に接続された例を示したが、これら以外の臨床検体分析装置と接続されていてもよいし、血液分析システム２００等、１つの臨床検体分析装置とのみ接続されていてもよい。
【産業上の利用可能性】
【０１１１】
本発明の臨床検査情報管理装置、臨床検査情報管理システム、及びコンピュータプログラムは、臨床検体分析装置による検体検査に関する情報を管理する臨床検査情報管理装置及び臨床検査情報管理システム並びにコンピュータを臨床検査情報管理装置として機能させるためのコンピュータプログラムとして有用である。
【符号の説明】
【０１１２】
１      臨床検査情報管理システム
２      検体投入装置
３      検体搬送装置
４      検体収容装置
５      血球分析装置
５１      測定ユニット
５２      情報処理ユニット
６      塗抹標本作製装置
７      血球画像表示装置
８      システム制御装置
９      臨床検査情報管理サーバ
９１ａ      ＣＰＵ
９１ｂ      ＲＯＭ
９１ｃ      ＲＡＭ
９１ｄ      ハードディスク
９１ｇ      通信インタフェース
９４ａ      コンピュータプログラム
１０      クライアント装置
１１１ａ      ＣＰＵ
１１１ｂ      ＲＯＭ
１１１ｃ      ＲＡＭ
１１１ｄ      ハードディスク
１１１ｇ      通信インタフェース
１１４ａ      コンピュータプログラム
１００      ホストコンピュータ
Ｗ１      メニュー画面
Ｑ１１〜Ｑ１９      アイコン
Ｍ１３〜Ｍ１６      検体数情報
Ｗ２      測定待ち検体リスト画面
Ｗ３      再測定待ち検体リスト画面
Ｗ４      承認待ち検体リスト画面
Ｗ５      詳細情報画面
【図１】
2011174844.tif 000003
【図２】
2011174844.tif 000004
【図３】
2011174844.tif 000005
【図４】
2011174844.tif 000006
【図５】
2011174844.tif 000007
【図６】
2011174844.tif 000008
【図７】
2011174844.tif 000009
【図８】
2011174844.tif 000010
【図９】
2011174844.tif 000011
【図１０】
2011174844.tif 000012
【図１１】
2011174844.tif 000013
【図１２】
2011174844.tif 000014
【図１３】
2011174844.tif 000015
【図１４】
2011174844.tif 000016
【図１５】
2011174844.tif 000017
【図１６】
2011174844.tif 000018
【図１７】
2011174844.tif 000019
【図１８】
2011174844.tif 000020
【図１９】
2011174844.tif 000021
【図２０】
2011174844.tif 000022